(57)【特許請求の範囲】
【請求項１】
子の撮影装置及び親の撮影装置がネットワークを介して接続される撮影システムであって、
前記子の撮影装置は、
前記親の撮影装置が属するネットワークに関する情報を検索する検索手段と、
前記検索手段によって検索したネットワークへの参加の選択を受け付ける選択受付手段と、
前記選択受付手段によって選択を受け付けたネットワークに属する親の撮影装置に対する子の撮影装置として、前記親の撮影装置の属するネットワークへ参加するための情報を設定する設定手段と、
前記設定手段で設定された子の撮影装置で撮影して得られた画像データが所定条件を満たすか否かを判定する判定手段と、
前記判定手段によって所定条件を満たさないと判定され蓄積されている複数の画像データを、所定タイミングで前記子の撮影装置の表示部へ一覧表示する表示手段と、
前記表示手段で一覧表示された複数の画像データそれぞれについて送信するか否かの選択を受け付ける送信選択受付手段と、
前記設定手段の設定に基づいて参加しているネットワークにおいて、前記判定手段によって所定条件を満たすと判定された前記子の撮影装置で撮影された画像データについては前記子の撮影装置で撮影されたタイミングで該画像データを前記親の撮影装置へ即時に送信し、さらに、前記判定手段によって所定条件を満たさないと判定された前記子の撮影装置で撮影された画像データについては撮影されたタイミングで即時に送信することなく前記送信選択受付手段によって送信することの選択を受け付けた一または複数の画像データを前記親の撮影装置へ一括して送信する送信手段と、
を備え、
前記親の撮影装置は、
前記送信手段によって送信された画像データを受信する受信手段と、
前記受信手段によって受信した画像データを保存する保存手段と、
を備えたことを特徴とする撮影システム。
【請求項２】
前記判定手段は、前記子の撮影装置で撮影された画像データに予め定めた人物が含まれる場合、前記所定条件を満たすと判定することを特徴とする請求項１に記載の撮影システム。
【請求項３】
前記判定手段は、前記子の撮影装置で撮影された画像データに予め定めた人物のうち１人でも当該人物が含まれる場合、前記所定条件を満たすと判定することを特徴とする請求項１または請求項２に記載の撮影システム。
【請求項４】
前記判定手段は、前記子の撮影装置で撮影された画像データが焦点の合った画像データである場合、前記所定条件を満たすと判定することを特徴とする請求項１乃至３の何れか１項に記載の撮影システム。
【請求項５】
前記表示手段は、前記所定タイミングとして所定枚数の画像データが撮影されたタイミングで、前記表示部へ前記蓄積されている複数の画像データを一覧表示することを特徴とする請求項１乃至４の何れか１項に記載の撮影システム。
【請求項６】
前記保存手段は、前記受信手段によって受信した画像データに対する名称が、重複する場合、前記画像データに対する名称を一意に識別するようにリネームを行うことを特徴とする請求項１乃至５の何れか１項に記載の撮影システム。
【請求項７】
前記子の撮影装置は、前記画像データに対して前記画像データを撮影した撮影装置を一意に識別する識別情報を付加する付加手段を備え、
前記送信手段は、前記付加手段によって識別情報が付された画像データを前記親の撮影装置に送信することを特徴とする請求項１乃至６の何れか１項に記載の撮影システム。
【請求項８】
前記保存手段は、同一ネットワークにおける子の撮影装置から受信した画像データを保存することを特徴とする請求項１乃至７の何れか１項に記載の撮影システム。
【請求項９】
子の撮影装置から送信された画像データを受信して当該画像データを保存する親の撮影装置とネットワークを介して前記子の撮影装置として接続される撮影装置であって、
前記親の撮影装置が属するネットワークに関する情報を検索する検索手段と、
前記検索手段によって検索したネットワークへの参加の選択を受け付ける選択受付手段と、
前記選択受付手段によって選択を受け付けたネットワークに属する親の撮影装置に対する子の撮影装置として、前記親の撮影装置の属するネットワークへ参加するための情報を設定する設定手段と、
前記設定手段で設定された子の撮影装置で撮影して得られた画像データが所定条件を満たすか否かを判定する判定手段と、
前記判定手段によって所定条件を満たさないと判定され蓄積されている複数の画像データを、所定タイミングで前記子の撮影装置の表示部へ一覧表示する表示手段と、
前記表示手段で一覧表示された複数の画像データそれぞれについて送信するか否かの選択を受け付ける送信選択受付手段と、
前記設定手段の設定に基づいて参加しているネットワークにおいて、前記判定手段によって所定条件を満たすと判定された前記子の撮影装置で撮影された画像データについては前記子の撮影装置で撮影されたタイミングで該画像データを前記親の撮影装置へ即時に送信し、さらに、前記判定手段によって所定条件を満たさないと判定された前記子の撮影装置で撮影された画像データについては撮影されたタイミングで即時に送信することなく前記送信選択受付手段によって送信することの選択を受け付けた一または複数の画像データを前記親の撮影装置へ一括して送信する送信手段と、
を備えたことを特徴とする撮影装置。
【請求項１０】
子の撮影装置及び親の撮影装置がネットワークを介して接続される撮影システムの制御方法であって、
前記子の撮影装置は、
前記親の撮影装置が属するネットワークに関する情報を検索する検索ステップと、
前記検索ステップによって検索したネットワークへの参加の選択を受け付ける選択受付ステップと、
前記選択受付ステップによって選択を受け付けたネットワークに属する親の撮影装置に対する子の撮影装置として、前記親の撮影装置の属するネットワークへ参加するための情報を設定する設定ステップと、
前記設定ステップで設定された子の撮影装置で撮影して得られた画像データが所定条件を満たすか否かを判定する判定ステップと、
前記判定ステップによって所定条件を満たさないと判定され蓄積されている複数の画像データを、所定タイミングで前記子の撮影装置の表示部へ一覧表示する表示ステップと、
前記表示ステップで一覧表示された複数の画像データそれぞれについて送信するか否かの選択を受け付ける送信選択受付ステップと、
前記設定ステップでの設定に基づいて参加しているネットワークにおいて、前記判定ステップによって所定条件を満たすと判定された前記子の撮影装置で撮影された画像データについては前記子の撮影装置で撮影されたタイミングで該画像データを前記親の撮影装置へ即時に送信し、さらに、前記判定ステップによって所定条件を満たさないと判定された前記子の撮影装置で撮影された画像データについては撮影されたタイミングで即時に送信することなく前記送信選択受付ステップによって送信することの選択を受け付けた一または複数の画像データを前記親の撮影装置へ一括して送信する送信ステップと、
を実行し、
前記親の撮影装置は、
前記送信ステップによって送信された画像データを受信する受信ステップと、
前記受信ステップによって受信した画像データを保存する保存ステップと、
を実行することを特徴とする撮影システムの制御方法。
【請求項１１】
子の撮影装置及び親の撮影装置がネットワークを介して接続される撮影システムで読取り実行されるプログラムあって、
前記子の撮影装置を、
前記親の撮影装置が属するネットワークに関する情報を検索する検索手段と、
前記検索手段によって検索したネットワークへの参加の選択を受け付ける選択受付手段と、
前記選択受付手段によって選択を受け付けたネットワークに属する親の撮影装置に対する子の撮影装置として、前記親の撮影装置の属するネットワークへ参加するための情報を設定する設定手段と、
前記設定手段で設定された子の撮影装置で撮影して得られた画像データが所定条件を満たすか否かを判定する判定手段と、
前記判定手段によって所定条件を満たさないと判定され蓄積されている複数の画像データを、所定タイミングで前記子の撮影装置の表示部へ一覧表示する表示手段と、
前記表示手段で一覧表示された複数の画像データそれぞれについて送信するか否かの選択を受け付ける送信選択受付手段と、
前記設定手段の設定に基づいて参加しているネットワークにおいて、前記判定手段によって所定条件を満たすと判定された前記子の撮影装置で撮影された画像データについては前記子の撮影装置で撮影されたタイミングで該画像データを前記親の撮影装置へ即時に送信し、さらに、前記判定手段によって所定条件を満たさないと判定された前記子の撮影装置で撮影された画像データについては撮影されたタイミングで即時に送信することなく前記送信選択受付手段によって送信することの選択を受け付けた一または複数の画像データを前記親の撮影装置へ一括して送信する送信手段と、
して機能させ、
前記親の撮影装置を、
前記送信手段によって送信された画像データを受信する受信手段と、
前記受信手段によって受信した画像データを保存する保存手段と、
して機能させることを特徴とするプログラム。
【請求項１２】
子の撮影装置から送信された画像データを受信して当該画像データを保存する親の撮影装置とネットワークを介して前記子の撮影装置として接続される撮影装置の制御方法であって、
前記撮影装置は、
前記親の撮影装置が属するネットワークに関する情報を検索する検索ステップと、
前記検索ステップによって検索したネットワークへの参加の選択を受け付ける選択受付ステップと、
前記選択受付ステップによって選択を受け付けたネットワークに属する親の撮影装置に対する子の撮影装置として、前記親の撮影装置の属するネットワークへ参加するための情報を設定する設定ステップと、
前記設定ステップで設定された子の撮影装置で撮影して得られた画像データが所定条件を満たすか否かを判定する判定ステップと、
前記判定ステップによって所定条件を満たさないと判定され蓄積されている複数の画像データを、所定タイミングで前記子の撮影装置の表示部へ一覧表示する表示ステップと、
前記表示ステップで一覧表示された複数の画像データそれぞれについて送信するか否かの選択を受け付ける送信選択受付ステップと、
前記設定ステップでの設定に基づいて参加しているネットワークにおいて、前記判定ステップによって所定条件を満たすと判定された前記子の撮影装置で撮影された画像データについては前記子の撮影装置で撮影されたタイミングで該画像データを前記親の撮影装置へ即時に送信し、さらに、前記判定ステップによって所定条件を満たさないと判定された前記子の撮影装置で撮影された画像データについては撮影されたタイミングで即時に送信することなく前記送信選択受付ステップによって送信することの選択を受け付けた一または複数の画像データを前記親の撮影装置へ一括して送信する送信ステップと、
を実行することを特徴とする撮影装置の制御方法。
【請求項１３】
子の撮影装置から送信された画像データを受信して当該画像データを保存する親の撮影装置とネットワークを介して前記子の撮影装置として接続される撮影装置で読み取り実行可能なプログラムあって、
前記撮影装置を、
前記親の撮影装置が属するネットワークに関する情報を検索する検索手段と、
前記検索手段によって検索したネットワークへの参加の選択を受け付ける選択受付手段と、
前記選択受付手段によって選択を受け付けたネットワークに属する親の撮影装置に対する子の撮影装置として、前記親の撮影装置の属するネットワークへ参加するための情報を設定する設定手段と、
前記設定手段で設定された子の撮影装置で撮影して得られた画像データが所定条件を満たすか否かを判定する判定手段と、
前記判定手段によって所定条件を満たさないと判定され蓄積されている複数の画像データを、所定タイミングで前記子の撮影装置の表示部へ一覧表示する表示手段と、
前記表示手段で一覧表示された複数の画像データそれぞれについて送信するか否かの選択を受け付ける送信選択受付手段と、
前記設定手段の設定に基づいて参加しているネットワークにおいて、前記判定手段によって所定条件を満たすと判定された前記子の撮影装置で撮影された画像データについては前記子の撮影装置で撮影されたタイミングで該画像データを前記親の撮影装置へ即時に送信し、さらに、前記判定手段によって所定条件を満たさないと判定された前記子の撮影装置で撮影された画像データについては撮影されたタイミングで即時に送信することなく前記送信選択受付手段によって送信することの選択を受け付けた一または複数の画像データを前記親の撮影装置へ一括して送信する送信手段と、
して機能させることを特徴とするプログラム。
【発明の詳細な説明】
【技術分野】
【０００１】
本発明は、複数の撮影装置において撮影された画像データの管理方法に関する。
【背景技術】
【０００２】
複数人が其々の撮影装置を用いて同時に撮影する状況では、各撮影装置にて其々撮影して得られた画像データをマージするためには、下記のような手順が必要となる。
【０００３】
＜マージ手順＞
（１）複数の人々が、各自保有する撮影装置で撮影する。
（２）撮影して得られた画像データは、各撮影装置に挿入されたＳＤカード等の記憶媒体に保存される。
（３）撮影した得られた画像データを他人へ渡す際は、ＣＤ（CompactDisk）等の記録媒体や、ＵＳＢ（UniversalSerialBus）メモリ等の記録媒体に保存、もしくは写真ＷＥＢサイト等にアップして、間接的に受け渡す。
（４）各自が撮影して得られた画像データをマージしたい場合は、それらの記録媒体から画像データを取得し、手作業でマージする。
（５）マージした画像データを、さらに他人へ配布したい場合、（３）及び（４）の作業を繰り返す。
【０００４】
このような手順を行うシチュエーションとしては、家族旅行や友人との旅行、披露宴やパーティ等、大勢で集まる場面等が想定され、このようなシチューエーションに参加した者は、各自の撮影装置を用いて撮影して得られた画像データをマージする作業を行う。
【０００５】
しかしながら、上記手順を手動で行うとすると、様々な問題が発生する。例えば、画像データをマージする際の煩雑さやマージ作業の時間的問題、マージした画像データの整列問題等である。
【０００６】
画像データをマージする際の煩雑さとしては、タイムリー（即座に現場で）な画像データの受け渡しを行うことができずに、記録媒体を介して受け渡しを行う必要が生じてしまうことがあげられ、さらに、画像データのマージ作業が必ず発生してしまうということがあげられる。
【０００７】
マージ作業の時間的問題としては、画像データのマージを行う際に、当作業を撮影現場で行うことが難しい等の理由から長時間／期間を要する。また、記録媒体への保存作業、記録媒体の受け渡し、及び撮影装置から記録媒体へのダウンロード作業の煩わしさ等に起因するタイムロスが発生する。
【０００８】
マージした画像データの整列問題としては、時系列に画像データが整列されない可能性があり、更に、類似画像の重複問題があげられ、同一の時刻、同一のメンバ、同一の場所で撮影を行っているため、似通った画像データが存在した状態でマージされる。
【０００９】
このような問題を解消するため、特許文献１に記載の技術では、複数台の撮影装置でネットワークを構成し、撮影して得られた画像データを他の撮影装置へ転送し、各撮影装置にて保存することによって、各撮影装置には、撮影装置で撮影して得られた画像データと、他の撮影装置で撮影して得られた全画像データと、が自動的に共有保存される。
【００１０】
そして、撮影して得られた画像データには撮影装置が特定可能となる情報が付されており、画像データを保存する時は、該情報を用いて画像データを時系列的に整列することが可能である。
【００１１】
また、特許文献２に記載の技術では、複数台の撮影装置でネットワークを構成し、撮影を行う撮影装置と画像データをメモリカードに記録する撮影装置とをそれぞれ選択する機能を有する。よって、各撮影装置に対して役割を設定することが可能となる。また、撮影装置間の同期処理等の制御も考慮されている。
【特許文献１】特開２０１０−１８７３６８号公報
【特許文献２】特開２００９−５５６１６号公報
【発明の概要】
【発明が解決しようとする課題】
【００１２】
しかしながら、特許文献１に記載の技術では、まず、全画像データが全撮影装置に一律保存されるため、ＳＤカード等といったメモリカードのメモリ圧迫の危険性が生じる。また、メモリカードが挿入されていない撮影装置はネットワークに参加することができない。
【００１３】
また、特許文献２に記載の技術では、撮影装置における処理は、レリーズ時に限定されており、よって、レリーズ不可である撮影装置では使用することができないため、不都合が生じる可能性がある。
【００１４】
また、複数台の撮影装置で同時撮影した際に画像データに対して付された名称（ファイル名）が重複する可能性があるが、それに対するリネーム処理等は考慮されていない。さらに、撮影開始後の新たな撮影装置の参加は許容されていない。
【００１５】
そこで、本発明では、複数台の撮影装置を用いて、撮影して得られた画像データを効率的に管理することが可能な撮影システム、撮影装置、制御方法、及びプログラムを提供することを目的とする。
【課題を解決するための手段】
【００１６】
上記課題を解決するための第１の発明は、子の撮影装置及び親の撮影装置がネットワークを介して接続される撮影システムであって、前記子の撮影装置は、前記親の撮影装置が属するネットワークに関する情報を検索する検索手段と、前記検索手段によって検索したネットワークへの参加の選択を受け付ける選択受付手段と、前記選択受付手段によって選択を受け付けたネットワークに属する親の撮影装置に対する子の撮影装置として、前記親の撮影装置の属するネットワークへ参加するための情報を設定する設定手段と、前記設定手段で設定された子の撮影装置で撮影して得られた画像データが所定条件を満たすか否かを判定する判定手段と、前記判定手段によって所定条件を満たさないと判定され蓄積されている複数の画像データを、所定タイミングで前記子の撮影装置の表示部へ一覧表示する表示手段と、前記表示手段で一覧表示された複数の画像データそれぞれについて送信するか否かの選択を受け付ける送信選択受付手段と、前記設定手段の設定に基づいて参加しているネットワークにおいて、前記判定手段によって所定条件を満たすと判定された前記子の撮影装置で撮影された画像データについては前記子の撮影装置で撮影されたタイミングで該画像データを前記親の撮影装置へ即時に送信し、さらに、前記判定手段によって所定条件を満たさないと判定された前記子の撮影装置で撮影された画像データについては撮影されたタイミングで即時に送信することなく前記送信選択受付手段によって送信することの選択を受け付けた一または複数の画像データを前記親の撮影装置へ一括して送信する送信手段と、を備え、前記親の撮影装置は、前記送信手段によって送信された画像データを受信する受信手段と、前記受信手段によって受信した画像データを保存する保存手段と、を備えたことを特徴とする撮影システムである。
【００１７】
上記課題を解決するための第２の発明は、子の撮影装置及び親の撮影装置がネットワーを介して接続される撮影システムの制御方法であって、前記子の撮影装置は、前記親の撮影装置が属するネットワークに関する情報を検索する検索ステップと、前記検索ステップによって検索したネットワークへの参加の選択を受け付ける選択受付ステップと、前記選択受付ステップによって選択を受け付けたネットワークに属する親の撮影装置に対する子の撮影装置として、前記親の撮影装置の属するネットワークへ参加するための情報を設定する設定ステップと、前記設定ステップで設定された子の撮影装置で撮影して得られた画像データが所定条件を満たすか否かを判定する判定ステップと、前記判定ステップによって所定条件を満たさないと判定され蓄積されている複数の画像データを、所定タイミングで前記子の撮影装置の表示部へ一覧表示する表示ステップと、前記表示ステップで一覧表示された複数の画像データそれぞれについて送信するか否かの選択を受け付ける送信選択受付ステップと、前記設定ステップでの設定に基づいて参加しているネットワークにおいて、前記判定ステップによって所定条件を満たすと判定された前記子の撮影装置で撮影された画像データについては前記子の撮影装置で撮影されたタイミングで該画像データを前記親の撮影装置へ即時に送信し、さらに、前記判定ステップによって所定条件を満たさないと判定された前記子の撮影装置で撮影された画像データについては撮影されたタイミングで即時に送信することなく前記送信選択受付ステップによって送信することの選択を受け付けた一または複数の画像データを前記親の撮影装置へ一括して送信する送信ステップと、を実行し、前記親の撮影装置は、前記送信ステップによって送信された画像データを受信する受信ステップと、前記受信ステップによって受信した画像データを保存する保存ステップと、を実行することを特徴とする撮影システムの制御方法である。
【００１８】
上記課題を解決するための第３の発明は、子の撮影装置から送信された画像データを受信して当該画像データを保存する親の撮影装置とネットワークを介して前記子の撮影装置として接続される撮影装置で読み取り実行可能なプログラムあって、前記撮影装置を、前記親の撮影装置が属するネットワークに関する情報を検索する検索手段と、前記検索手段によって検索したネットワークへの参加の選択を受け付ける選択受付手段と、前記選択受付手段によって選択を受け付けたネットワークに属する親の撮影装置に対する子の撮影装置として、前記親の撮影装置の属するネットワークへ参加するための情報を設定する設定手段と、前記設定手段で設定された子の撮影装置で撮影して得られた画像データが所定条件を満たすか否かを判定する判定手段と、前記判定手段によって所定条件を満たさないと判定され蓄積されている複数の画像データを、所定タイミングで前記子の撮影装置の表示部へ一覧表示する表示手段と、前記表示手段で一覧表示された複数の画像データそれぞれについて送信するか否かの選択を受け付ける送信選択受付手段と、前記設定手段の設定に基づいて参加しているネットワークにおいて、前記判定手段によって所定条件を満たすと判定された前記子の撮影装置で撮影された画像データについては前記子の撮影装置で撮影されたタイミングで該画像データを前記親の撮影装置へ即時に送信し、さらに、前記判定手段によって所定条件を満たさないと判定された前記子の撮影装置で撮影された画像データについては撮影されたタイミングで即時に送信することなく前記送信選択受付手段によって送信することの選択を受け付けた一または複数の画像データを前記親の撮影装置へ一括して送信する送信手段と、して機能させることを特徴とするプログラムである。
【発明の効果】
【００１９】
本発明によれば、複数台の撮影装置をネットワークを介して接続可能なように構成し、所定の撮影装置に撮影して得られた画像データを一元で集約することによって、当該画像データを効率的に管理することが可能となる、という効果を奏する。
【図面の簡単な説明】
【００２０】
【図１】本発明の実施形態に係るカメラのネットワーク構成を示す構成図である
【図２】本発明の実施形態に係るカメラのハードウェア構成図
【図３】本発明の実施形態に於いて、全てのカメラで共通して利用される撮影モード選択画面の構成を示す構成図である。
【図４】本発明の実施形態に於いて、全てのカメラで共通して利用される参加ネットワーク選択画面の構成を示す構成図である。
【図５】本発明の実施形態に於いて、全てのカメラで共通して利用される識別名入力画面の構成を示す構成図である。
【図６】本発明の実施形態に於いて、親カメラで利用される初期設定画面の構成を示す構成図である。
【図７】本発明の実施形態に於いて、親カメラで利用されるネットワークカメラ情報確認画面の構成を示す構成図である。
【図８】本発明の実施形態に於いて、親カメラで利用される保存設定選択画面の構成を示す構成図である。
【図９】本発明の実施形態に於いて、カメラにおいて実行されるリネーム処理を説明するための説明図である。
【図１０】本発明の実施形態に於いて、子カメラからの転送画像保存処理(時刻が一致したファイルが存在しない場合)を説明するための説明図である。
【図１１】本発明の実施形態に於いて、子カメラからの転送画像保存処理（時刻が一致したファイル名が存在した場合）を説明するための説明図である。
【図１２】本発明の実施形態に於いて、親カメラに備えられたテーブルの構成を示す構成図である。
【図１３】本発明の実施形態に於いて、子カメラに備えられたテーブルの構成を示す構成図である。
【図１４】本発明の実施形態に於いて、プレビュー画面の構成を示す構成図である。
【図１５】本発明におけるメイン処理を表すフローチャートである。
【図１６】本発明におけるネットワーク参加処理を表すフローチャートである。
【図１７】本発明におけるカメラテーブル登録処理を表すフローチャートである。
【図１８】本発明における撮影処理を表すフローチャートである。
【図１９】本発明の実施形態に係る親カメラにおける画像保存処理を表すフローチャートである。
【図２０】本発明の実施形態に係る親カメラにおけるプレビュー表示処理を示すフローチャートである。
【図２１】本発明の実施形態に於いて、親カメラスイッチ画面の構成を示す構成図である。
【図２２】本発明の実施形態に於いて、親カメラスイッチ確認画面の構成を示す構成図である。
【図２３】本発明の実施形態に係る、親カメラとネットワークを構成する子カメラを、親カメラにスイッチする際に処理を示すフローチャートである。
【図２４】本発明の実施形態に於いて、電源ＯＦＦ前確認画面の構成を示す構成図である。
【図２５】本発明の実施形態に係る、親カメラの電源をＯＦＦする際に、親カメラとネットワークを構成する子カメラを、親カメラにスイッチする処理を示すフローチャートである。
【図２６】本発明の実施形態に係る、撮影処理に関するフローチャートである。
【図２７】本発明の実施形態に於いて、転送確認画面の構成を示す構成図である。
【図２８】本発明の実施形態に係る、撮影処理に関するフローチャートである。
【図２９】本発明の実施形態に於いて、転送画像選択画面の構成を示す構成図である。
【発明を実施するための形態】
【００２１】
以下、図面を参照して、本発明の実施形態を詳細に説明する。
【００２２】
［第１の実施形態］
図１は、本発明に関わる実施形態の撮影装置がネットワークに接続されたシステムを示す構成図である。本システムは、撮影装置の一例である複数のデジタルカメラ(以下「カメラ」)で構成されている。
【００２３】
親となるカメラ（以下、親カメラ）１０１に対して、その他カメラ（以下、子カメラ）１０２、１０３がそれぞれネットワークを介して接続され、通信が可能となる。
【００２４】
各カメラにて撮影を行うことが可能であり、撮影して得られた画像データは、親カメラ１０１に一元保存される。ユーザが、子カメラ１０２、１０３を用いて撮影すると、親カメラ１０１へ撮影して得られた画像データを送信する。
【００２５】
ユーザが親カメラ１０１を用いて、自機にて撮影、もしくは子カメラ１０２、１０３から画像データを受信すると、親カメラ１０１に備えたメモリカードへの画像保存処理を行う。
【００２６】
親カメラ１０１、子カメラ１０２、１０３は、それぞれ２種類の撮影モード「通常モード」、「複合撮影モード」を有する。「通常モード」とは、自カメラのみで撮影を行う、いわゆる普通の撮影モードである。
【００２７】
一方、「複合撮影モード」は、ネットワークを介して、複数のカメラで撮影を協調して行い、親カメラ１０１に撮影して得られた画像データを集約させて保存する撮影モードを示す。
【００２８】
親カメラ１０１が「複合撮影モード」を選択し、ネットワークを構成することによって、複数のカメラで協調撮影する環境が構築される。他の子カメラ１０２、１０３は、既存のネットワークを検索し、所望のネットワークへの参加要求を行い、親カメラ１０１との通信状態を確立する。
【００２９】
その結果、他の子カメラ１０２、１０３は、「子カメラ」として親カメラ１０１のネットワークに登録される。ネットワークに参加している子カメラで撮影して得られた画像データは、どの子カメラで撮影した場合でも親カメラ１０１に自動的に転送され親カメラ１０１に備えたメモリカード等の記録媒体に保存される。
【００３０】
このように「複合撮影モード」では、ユーザが画像データの集約処理を手動で行わなくとも、ネットワークに参加して撮影するだけで、親カメラ１０１に自動的に撮影して得られた画像データが一元的に保存される。また、保存の際は、画像データに対して付された名称が必要に応じてリネームされ、何れのカメラで撮影されたかに関わらず、整列するよう調整される。
【００３１】
図２は、カメラ内部のハードウェア構成図である。
【００３２】
図２において、ＣＣＤ（ChargeCoupledDevice）等の電荷結合素子を用いたセンサからなる撮像素子２０２は、被写体の光学像を光電変換して電気信号を生成し、Ａ／Ｄコンバータ２０３は、撮像素子２０２から出力されるアナログの電気信号をデジタル信号に変換する。
【００３３】
バッファメモリ２０４は、Ａ／Ｄコンバータ２０３からのデジタル信号を一時的に保持し、画像処理部２０５は、バッファメモリ２０４から出力されるデジタル信号に基づいて、輪郭補償、ガンマ補正、ホワイトバランス補正等の必要な画像処理を行い、画像データを生成する。
【００３４】
通信処理部２０６は、カメラ間の通信処理を担う。本実施形態では無線通信を想定しているため、通信用のデータ形式への変換など無線通信に必要な処理を行い、通信処理部２０６に含まれるアンテナを介して各種データの送受信を行う。尚、有線通信の場合にも、通信処理部２０６が必要な通信処理を実行する。
【００３５】
不揮発性のメモリ２０７は、ＣＰＵなどからなるマイクロコンピュータ（以下、マイコン）２０１に各種の処理を実行させるためのプログラム等を記憶しており、画像保存部２０９は、例えばメモリカードなどの記憶媒体であり、画像データの印刷やスライドショー再生などの設定情報を保存する。また、画像保存部２０９は、撮影により得られた画像データや受信した画像データを保存する。
【００３６】
ここで画像保存部２０９は、カメラに内蔵されたものであってもよいし、着脱可能なものであってもよい。カメラは、少なくとも記憶媒体にアクセスするためのインタフェースを有していればよい。
【００３７】
なお、画像保存部２０９には、ＪＰＥＧ形式などで圧縮符号化された画像データだけでなく、いわゆるＲＡＷ画像といった画像データも保存可能である。画像処理部２０５は、ＲＡＷ画像をスライドショー再生する場合には、再生する画像データごとに現像処理を実行し、画像表示部２０８が表示する。
【００３８】
また、画像保存部２０９には、画像データの他に、画像データを特定するための画像情報が記述された情報ファイルが保存される。この情報ファイルには、後述するように、画像データを撮影した機器名および撮影日時などの画像情報が記述され、画像データが保存されたファイルパスが撮影日時の順番に記述されている。
【００３９】
画像表示部２０８は、画像保存部２０９に保存されている画像データのプレビュー表示を行うための表示処理を実行する。また、画像表示部２０８は、ネットワークなどを介して他の記憶装置や撮影装置等へ画像データを送信する際に、送信する画像データをユーザに選択させるためにサムネイルを一覧表示する処理なども行う。また、画像表示部２０８は、タッチパネル形式の部材から構成され、ユーザが指で触れることで、操作指示を行うことが可能である。
【００４０】
CPU２０１は、入力信号やプログラムに従い、上記撮像素子２０２、Ａ／Ｄコンバータ２０３、バッファメモリ２０４、画像処理部２０５、通信処理部２０６、メモリ２０７、画像表示部２０８、画像保存部２０９を含むカメラ全体の動作を制御する。なお、カメラの制御は、１つのハードウェアで行ってもよいし、複数のハードウェアが処理を分担しながら、各種手段としてカメラを機能させるよう制御してもよい。
【００４１】
図３から図８には、各カメラのユーザインタフェースとして出力される画面の構成が示されている。図３から図５には、全ての各カメラ、１０１から１０３に出力される共通画面の構成が示されており、図６及び図７には、親カメラ１０１のみ、図８は、子カメラ１０２、１０３のみに出力される画面の構成が示されている。
【００４２】
まず図３に示す撮影モード選択画面について説明する。
【００４３】
撮影モード選択画面３０１は、カメラ起動時に出力されるか、もしくは、メニューから当画面にアクセスできるようにしてもよい。本画面にて、撮影モードを選択し、「通常撮影モード」を選択すれば、平常通り自カメラのみでの撮影となり、「複合撮影モード」を選択した場合は、複数台のカメラを使用した協調撮影モードになり、図４の画面に遷移する。
【００４４】
図４には、参加ネットワーク選択画面の構成が示されている。
【００４５】
参加ネットワーク選択画面４０１には、「新規作成」もしくは既存のネットワーク名が表示される。既存のネットワーク名には、画面出力前に通信技術を利用してネットワークを検索し、その検索結果が全て列挙される。
【００４６】
「新規作成」を選択した場合は、自機が親カメラに自動的に設定され、新規のネットワークを形成し、既存のネットワークを指定した場合は、そのネットワークに子カメラとして参加する処理が行われる。尚、撮影モード選択画面３０１にて「複合撮影モード」を選択した場合は、必ず本画面にて参加するネットワークを選択しなければならない。
【００４７】
なお、既存ネットワークに参加するタイミングは、いつでも可能である。すでに既存ネットワーク内で撮影が開始されていても、途中からネットワークに参加し撮影を行うことができる。さらに離脱するタイミングも特に規定していない。カメラの電源ＯＦＦと同時にネットワークを離脱したり、任意のタイミングで意図的に離脱したりすることも可能である。
【００４８】
図５には、識別名入力画面の構成が示されている。
【００４９】
識別名入力画面５０１では、任意の自機に対する識別名と識別マークを含む識別情報を設定する。識別情報には、カメラを特定可能なユニークな情報を付与する。例えば、カメラのＩＰアドレスやニックネームなどが挙げられる。
【００５０】
本識別情報を利用してネットワーク内の各カメラを判別するため、識別名及びマークは一意であり、他カメラに既に設定されている識別情報の設定は許容されない。同様に、自カメラに設定した識別情報を他カメラに設定することも許容されない。
【００５１】
本識別情報はその後の撮影画像保存時やプレビュー表示時に利用される。画像データ保存時は、撮影して得られた画像データと撮影カメラの識別名とはセットで保持される。また、後述するプレビュー画面１４０１の右上に出力されるマークが、当画面で選択したマークとなる。
【００５２】
図６は、初期設定画面の構成を示している。親カメラ１０１のみに出力される。参加ネットワーク選択画面４０１にて新規作成を選択すると、初期設定画面６０１が表示される。
【００５３】
初期設定画面６０１では、画像データの命名規則と、日時設定の登録を行う。ここで指定した命名規則と日時設定が、所定のネットワークに参加した全カメラに適用される。適用タイミングは、ネットワークに参加した直後である。
【００５４】
命名規則情報は、親カメラ１０１と子カメラ１０２、１０３の各カメラに備えられたテーブルに登録され、画像データの保存時に利用される。（後述するテーブル構成として１２０１、１３０１を参照）命名規則は、任意に設定可能だが、一例として「年月日時分秒.jpg」が挙げられる。
【００５５】
本初期設定がネットワークへ参加した全カメラに一律に適用されることによって、画像データの集約保存時にカメラを意識することなく、規則的に整列させることが可能となる。
【００５６】
図７には、ネットワークカメラ情報確認画面の構成が示されている。ネットワークカメラ情報確認画面７０１にて、現在ネットワークに参加しているカメラの一覧を参照することができる。一覧では、各カメラの機種情報、及び適用されている識別名やカメラ固有のマークを確認できる。本画面により、プレビュー画面１４０１でのマークと該カメラの関連付けが可能となる。
【００５７】
図８には、保存設定選択画面の構成が示されている。
【００５８】
保存設定選択画面８０１では、画像データの保存形態をユーザが任意に指定することが可能であり、選択肢としては、「親カメラのみに保存」と「親カメラと自機両方へ保存」とがある。
【００５９】
前者を選択した場合は、自機にて撮影して得られた画像データは、全て親カメラ１０１へと送信され、自機の記録媒体には一切保存されない。一方、後者を選択した場合は、撮影して得られた画像データは、親カメラ１０１へ送信されると同時に、自機の記録媒体にも保存される。ただし、親カメラ１０１にはネットワークへ参加した全カメラで撮影された全画像データが保存されるが、自機には自カメラで撮影した画像データしか保存されない。
【００６０】
図９は、各カメラでのリネーム処理を実行した結果を示した図である。各カメラ９０１で撮影が行われると、テーブル９０２を参照して、命名規則を取得し、９０３に示す通り、取得した命名規則に従って撮影して得られた画像データに対する名称が設定される。本リネーム処理は、親カメラ１０１、子カメラ１０２、１０３を問わず、全カメラにて撮影処理後実行される
【００６１】
図１０と図１１にはいずれも、子カメラ１０２、１０３から転送された画像データが、親カメラ１０１において時系列に保存されることを示した図である。
【００６２】
図１０には、通常時の保存処理が示されている。通常時とは、子カメラ１０２、１０３から転送された画像データに対する名称と重複する画像データが親カメラ１０１の記憶媒体に存在しない場合である。
【００６３】
その場合、子カメラ１０２から転送された画像データ１００１を受信した親カメラ１０１は、まず記録媒体に保存された画像データの一覧１００２を参照する。一覧１００２内に受信した画像データに対する名称と重複するものがないかを確認する。なければ、一覧１００３に示すようにそのまま記録媒体に画像データを保存する。
【００６４】
図１１には、親カメラ１０１の記録媒体に、すでに受信した画像データに対する名称と重複した名称を有する画像データが存在する場合が示されている。重複する画像データが存在する場合は、画像データに対する名称のリネーム処理が必要となる。
【００６５】
複数のカメラで同時に撮影可能な本システムでは、同日同時間に複数のカメラで撮影が行われる可能性がある。その場合、画像データに対する名称は各カメラにて行われるため、全く同一の名称を有する画像データが複数存在することが起こりうる。同一名称を有する複数の画像データは別個の画像データとして保存する必要があるため、親カメラ１０１に一元保存する際に、当該名称のリネーム処理が要求される。
【００６６】
子カメラ１０２から受信した画像データ１１０１を親カメラ１０１が受信し、保存画像一覧１１０２を参照して、重複する画像データを検索する処理までは、図１０と同等である。しかし、図１１のケースでは、検索処理にて重複する画像データの存在が判明するケースが示されている。
【００６７】
重複する画像データが存在する場合、親カメラ１０１は、両画像データの画像情報をもとに撮影時刻を参照する。そして、保存画像一覧１１０３のように、撮影時刻が古い順に画像データが整列するよう、画像データに対する名称のリネームを行う。
【００６８】
リネームは、当該名称の末尾にリビジョン番号を付してリネームする。付するリビジョン番号は、使用可能な番号を取得して適用し、もし、同一時刻に撮影して得られた画像データがすでに２つ以上記録媒体に保存されていた場合も、上記と同様に、各重複する画像データの撮影時刻を比較し、古い順に整列するよう、各画像データの名称に対してリネーム処理を適用する。
【００６９】
ここでは、リネームにリビジョン番号を使用しているが、判別可能であれば別規則に則ってリネームしても構わない。
【００７０】
図１２と図１３には、各カメラに備えられたテーブルの構成が示されている。
【００７１】
まず、図１２には、親カメラ１０１に備えられたテーブルの構成が示されている。
【００７２】
親カメラテーブル１２０１では、自機である親カメラ１０１の識別名と識別マークとに関する識別情報と、ネットワークに参加している子カメラ１０２、１０３の識別名と識別マークとに関する識別情報、命名規則情報を保持している。
【００７３】
自機の識別情報は、画像データの保存時やプレビュー表示にて使用される。撮影時には、画像データの画像情報に含まれるExif（ExchangeableImageFileFormat）情報に、カメラの識別情報を付する。
【００７４】
これにより、各画像データがどのカメラで撮影されたのか特定可能となる。子カメラ１０２、１０３の識別情報は、受信した画像データを撮影したカメラの特定やプレビュー表示にて利用する。また、命名規則は画像データの名称の設定時に利用される。
【００７５】
親カメラテーブル１２０１は、ネットワーク形成後の初期設定時に作成される。識別名入力画面５０１や初期設定画面６０１にて識別情報や初期設定の入力が行われると、情報を親カメラテーブル１２０１に登録する。
【００７６】
なお、子カメラ１０２、１０３は、撮影中も随時参加可能である為、ネットワークへ参加しているカメラの情報は随時更新される。ネットワークへの参加の依頼通知を受信すると、子カメラ１０２、１０３の情報を親カメラテーブル１２０１へ登録する。
【００７７】
次に、図１３には、子カメラ１０２、１０３に備えられたテーブルの構成が示されている。
【００７８】
ネットワーク参加カメラテーブル１３０１は、親カメラ情報と、自カメラの識別情報、命名規則情報を有する。
【００７９】
親カメラ情報とは、親カメラ１０１との通信を確立するために必要となる情報である。例えば、親カメラ１０１のＩＰアドレス、ＳＳＩＤ（ServiceSetIdentifier）、及び認証情報等が考えられる。当情報は、ネットワーク検索時に取得した情報や、ネットワークへの参加依頼の通知後に親カメラ１０１から受信した情報に基づき構成される。
【００８０】
自カメラ情報とは、子カメラ１０２、１０３自機の識別名と識別マークに関する識別情報を保持する。これらの情報は、親カメラ１０１に画像データを転送した際に撮影を行ったカメラを特定できるようにするため、撮影時に画像データの画像情報のExif情報に書き加えられる。
【００８１】
命名規則情報は、ネットワークへの参加の依頼を通知すると、親カメラ１０１から受け渡される。その情報を元に、ネットワーク参加カメラテーブル１３０１へ追加される。
【００８２】
図１４には、プレビュー画面におけるカメラを識別するためのマークが出力されたイメージが示されている。
【００８３】
親カメラ１０１でプレビュー出力機能が選択されると、記録媒体に保存された画像データの出力処理が行われ、親カメラ１０１は、保持している親カメラテーブル１２０１を参照して、各画像データを撮影したカメラを特定する。
【００８４】
そして、特定されたカメラに該当するマークを取得し、画像データの右上に配置して、ユーザインタフェースに出力し、当処理を各画像データに対して繰り返し行い、保存されている全ての画像データのプレビューを表示する。
【００８５】
なお、プレビュー画面１４０１は、基本仕様では親カメラ１０１のみに出力されるが、子カメラ１０２、１０３にも表示できる機能を付しても良い。また、前述では全画像データを出力する例を出したが、特定カメラの画像のみ出力したり、マークの代わりに識別名を出力したり、マークの出力位置を変更したりしても良い。
【００８６】
以下、本実施形態における撮影装置において撮影された画像データをマージする際の全体の流れを説明する。
【００８７】
図１５には、本システムにおけるメインフローが示されている。
【００８８】
まず、ユーザが、各カメラにおいて電源を入れ、もしくは各カメラの設定メニューから撮影モードのメニューを選択すると、図３に示す撮影モード選択画面３０１が出力される。
【００８９】
そして、ステップＳ１５０１では、撮影モード選択画面３０１において複合撮影モードが選択されると、そのモードで起動するための事前処理が開始される。もし、撮影モード選択画面３０１にて、通常モードを選択した場合は、単一カメラでの撮影となり本処理は実行されない。
【００９０】
複合撮影モードが選択されると、ステップＳ１５０２へ処理を進め、ステップＳ１５０２では、ネットワーク参加処理が行われ、複合撮影モードにおける協調撮影を行うための環境構築を行う。尚、ネットワーク参加処理の詳細は、図１６にて後述する。
【００９１】
ステップＳ１５０３では、カメラが待機状態となり、カメラに対してイベントを発生させると必要な処理が実行される。尚、待機状態は、複合撮影モードが継続する限り保たれる。待機状態が解除されるケースとしては、参加しているネットワークからカメラを離脱させたり、カメラの電源が落とされたりすると、待機状態が解除され、複合撮影モードは終了する。（ステップＳ１５１１）
【００９２】
ステップＳ１５０４では、通知されたイベントによって処理を振り分けるため、まず、通知されたイベントがプレビュー表示処理であるか否かを判定し、プレビュー表示処理であると判定した場合は、ステップＳ１５０５へ処理を進め、プレビュー表示処理でないと判定した場合は、ステップＳ１５０６へ処理を進める。本ステップにおける判定方法としては、カメラにてプレビュー画面１４０１が起動されたか否かによって判定し、起動された場合にプレビュー表示処理を実行する。
【００９３】
ステップＳ１５０５では、プレビュー表示処理を実行する。プレビュー画面１４０１には、ネットワークに参加しているカメラで撮影された画像データが出力され、更に、識別名入力画面５０１において各カメラに設定されたカメラの識別情報も当該画像データと併せて出力されるため、画像データのプロパティ情報等を参照することなく、一見してどのカメラで撮影されたかを判別することが出来る。なお、プレビュー表示処理の詳細については、図２０にて後述する。
【００９４】
ステップＳ１５０６では、通知されたイベントが撮影処理であるか否かを判定し、撮影処理であると判定した場合、ステップＳ１５０７へ処理を進め、撮影処理であると判定しない場合、ステップＳ１５０８へ処理を進める。本ステップにおける判定方法としては、カメラに備えられたシャッターボタン（不図示）が押下されたか否かによって判定し、押下されたと判定した場合は、ステップＳ１５０７へ処理を進め、押下されたと判定しない場合、ステップＳ１５０８へ処理を進める。
【００９５】
ステップＳ１５０７では、撮影処理を実行する。撮影処理は、親カメラ１０１、子カメラ１０２、１０３を問わず、ネットワークに参加している全てのカメラで可能である。なお、撮影処理の詳細については、図１８にて後述する。
【００９６】
ステップＳ１５０８では、通知されたイベントが画像保存処理であるか否かを判定し、画像処理であると判定した場合、ステップＳ１５０９へ処理を進め、画像処理であると判定しない場合、ステップＳ１５１０へ処理を進める。
【００９７】
ステップＳ１５０９では、画像保存処理を実行する。本ステップでは、撮影しているカメラが親カメラ１０１の場合は、自機へ保存処理を行い、撮影しているカメラが子カメラ１０２、１０３の場合は、親カメラ１０１へ撮影して得られた画像データを送信する。親カメラ１０１は、画像データを受信すると、画像保存処理を実行する。なお、画像保存処理の詳細については、図１９にて後述する。
【００９８】
ステップＳ１５１０では、カメラの識別情報を登録する処理の要求イベントが通知されると、カメラテーブル登録処理を実行する。本ステップでは、カメラに備えられたテーブルにカメラの識別情報を登録する処理である。識別情報の登録要求が発生すると、識別情報をテーブルに登録する。
【００９９】
親カメラ１０１が自機情報を登録する場合は親カメラテーブル１２０１へ、子カメラ１０２、１０３から登録要求を受信した場合は、ネットワーク参加カメラテーブル１３０１に登録する。
【０１００】
本イベントはステップＳ１５０２においても発生する（図１６に示すステップＳ１６１９、Ｓ１２１）。ネットワーク参加カメラテーブル１３０１への登録要求のイベントは、随時通知され更新される可能性がある。これは、本システムでは常にネットワークへの参加が可能であるためである。なお、カメラテーブル登録処理の詳細については、図１７にて後述する。
【０１０１】
以上、ステップＳ１５０４からステップＳ１５１０における各ステップの処理を繰り返し実行することによって、本システムの実現が可能となる。
【０１０２】
図１６は、ネットワーク参加処理に関するフローチャートである。
【０１０３】
ステップＳ１６０１では、既存ネットワークの検索処理が行われる。検索処理は、ネットワークのスキャン機能を利用し、当機能に依るスキャン処理によって、無線ＬＡＮ上に存在する既存ネットワークの一覧や、それに伴う情報（ＳＳＩＤや認証情報など）を取得可能である。
【０１０４】
ステップＳ１６０２では、ステップＳ１６０１において既存ネットワークが存在した場合、ステップＳ１６０３へ処理を進め、既存ネットワークが存在しない場合、ステップＳ１６０５へ処理を進める。
【０１０５】
ステップＳ１６０３では、ステップＳ１６０１において取得した情報を参加ネットワーク選択画面４０１に一覧表示し、ステップＳ１６０４では、参加ネットワーク選択画面４０１に一覧表示されたネットワークからユーザが参加したいネットワークの指定を受付ける。
【０１０６】
なお、ここでは、無線ＬＡＮを使用する態様を取り上げたが、有線ＬＡＮでも問題はない。
【０１０７】
ステップＳ１６０５では、ステップＳ１６０４において指定を受付けた参加ネットワークによって処理が分岐する。参加ネットワーク選択画面４０１にて「新規作成」が選択された場合は、自機を親カメラ１０１に設定するため、ステップＳ１６０６へ処理を進め、「新規作成」が選択されずに、既存のネットワークに参加することが選択された場合は、自機が子カメラ１０２、１０３となり、ステップＳ１６１１へ処理を進める。
【０１０８】
ステップＳ１６０６では、自機を親カメラ１０１に設定すべく、新規ネットワークの作成処理が行われ、ステップＳ１６０７では、自機を親カメラ１０１として、親カメラテーブル１２０１に識別情報を登録する。
【０１０９】
ここでは、図１７に示すカメラテーブル登録処理が呼び出される。続いて、ステップＳ１６０８では、初期設定処理が行われる。初期設定画面６０１を出力し、命名規則や日時が設定されることを受付ける。
【０１１０】
ステップＳ１６１１では、自機の既存ネットワークへの参加処理を実行する。この場合、自機は親カメラ１０１へ子カメラとして登録される。ステップＳ１６１１では、検索処理時に取得したネットワーク情報や認証情報を利用して、参加ネットワーク選択画面４０１にて選択されたネットワークに接続する。尚、ネットワークへの接続処理は、無線／有線ＬＡＮの規格に則る。
【０１１１】
ネットワークへの参加が成功すると、ステップＳ１６１２では、親カメラ１０１から初期設定情報を取得する。そして、取得した情報（命名規則や日時設定）を自機へ登録する。
【０１１２】
図１３に示すように、親カメラ情報や命名規則情報は、子カメラのネットワーク参加カメラテーブル１３０１に登録される。
【０１１３】
ステップＳ１６１４では、保存設定選択画面８０１を出力する。保存設定選択画面８０１によって、撮影して得られた画像データの登録先を「親カメラのみ」か「親カメラと自機」か、を選択することが出来る。
【０１１４】
ステップＳ１６１５では、識別名入力画面５０１を出力するが、自機が親カメラ１０１であっても子カメラ１０２、１０３であっても、必ず本画面を出力する。自機が子カメラ１０２、１０３の場合は、親カメラ１０１からネットワーク上のカメラ識別情報の一覧を取得して表示する。
【０１１５】
ステップＳ１６１６では、識別名入力画面５０１において、設定された自機の識別名やマークを受付ける。ステップＳ１６１７では、識別名やマークは、参加しているネットワーク上で一意となる必要があるため、画面の決定ボタン（不図示）が押下されるタイミングで、必ず重複確認を行う。
【０１１６】
重複している場合は、再入力を促して、ステップＳ１６１６へ処理を進め、重複していない場合は、ステップＳ１６１８へ処理を進める。
【０１１７】
ステップＳ１６１８では、自機が親カメラ１０１であるか否かを判定し、自機が親カメラ１０１であると判定した場合、ステップＳ１６１９へ処理を進め、自機が親カメラ１０１であると判定しない場合、ステップＳ１６２０へ処理を進める。
【０１１８】
ステップＳ１６１９では、そのまま自機に備えたテーブルの親カメラテーブル１２０１へ登録する。本ステップでは、図１７に示すカメラテーブル登録処理が呼び出される。
【０１１９】
ステップＳ１６２０では、親カメラ１０１へ識別情報を送信し、親カメラ１０１では親カメラテーブル１２０１のネットワーク参加カメラとして登録する。本ステップにおける親カメラ１０１への自機の識別情報の送信が、親カメラ１０１への参加登録とみなされる。
【０１２０】
ステップＳ１６２１では、自機の識別情報をネットワーク参加カメラテーブル１３０１の「自カメラ情報」として登録する。
【０１２１】
図１７は、識別情報の登録に関するカメラテーブル登録処理を示すフローチャートである。本フローチャートは、自機が親カメラの場合にのみ実行する。
【０１２２】
ステップＳ１７０１では、登録したい識別情報が、親カメラテーブル１２０１に登録されている識別名やマークと他カメラと重複していないか確認する。重複していた場合は、本処理を終了し、重複していない場合は、ステップＳ１７０２へ処理を進める。
【０１２３】
ステップＳ１７０２では、登録対象の識別情報が親カメラ１０１のものか、子カメラ１０２、１０３のものかによって、処理を分岐する。親カメラ１０１である自機の情報を登録する場合は、ステップＳ１７０３へ処理を進め、ステップＳ１７０３では、親カメラテーブル１２０１の親カメラへ識別情報を登録する。
【０１２４】
子カメラから受信した情報を登録する場合は、ステップＳ１７０４へ処理を進め、ステップＳ１７０４では、ネットワーク参加カメラテーブル１３０１へ、子カメラ１０２、１０３の識別情報を新規に登録する。この登録処理によって、子カメラ１０２、１０３は、親カメラ１０１に登録され、ネットワークに正式参加した状態となる。
【０１２５】
図１８は、撮影処理に関するフローチャートが示されている。
【０１２６】
まず、ステップＳ１８０１では、カメラのシャッターボタン（不図示）が押下され、自機にて撮影が行われると、被写体に対する画像データを取得し、ステップＳ１８０２では、画像データの画像情報から撮影日時を取得する。
【０１２７】
ステップＳ１８０３では、自身にそなえたテーブル（１２０１、あるいは１３０１）に登録されている命名規則情報を取得し、この規則に則り画像データに対する名称を作成し、ステップＳ１８０４では、ステップＳ１８０３において作成した名称を撮影して得られて画像データを付して一時的に保存する。
【０１２８】
ステップＳ１８０５では、画像データを撮影したカメラを識別できるようにするため、識別名入力画面５０１で設定した識別情報を自身に備えたテーブル（１２０１、あるいは１３０１）から取得し、Exif情報に登録する。
【０１２９】
ステップＳ１８０６では、自機が親カメラ１０１であるかどうかを確認し、自機が親カメラ１０１であると判定した場合は、ステップＳ１８０７へ処理を進め、自機が親カメラ１０１であると判定しない場合は、ステップＳ１８０８へ処理を進める。
【０１３０】
ステップＳ１８０７では、画像保存処理を実行する。詳細は、図１９を用いて後述する。
【０１３１】
ステップＳ１８０８では、子カメラ１０２、１０３にて撮影して得られた画像データを親カメラ１０１に転送する処理が実行される。この時、親カメラ１０１は、画像保存イベントを受信すると、図１９に示す画像保存処理を実行する。
【０１３２】
その後、ステップＳ１８０９では、自機の画像保存設定を確認する。設定内容は、保存設定選択画面８０１にて指定された値を用いる。保存設定が、「親カメラのみに保存（自機へは保存しない）」として設定された場合は、ステップＳ１８１０へ処理を進め、ステップＳ１８１０では、ステップＳ１８０４において一時的に保存した画像データを削除して、撮影処理を終了する。
【０１３３】
一方、保存設定が、自機にも画像データを残すよう「親カメラと自機両方へ保存」として設定された場合は、ステップＳ１８１１へ処理を進め、ステップＳ１８１１では、ステップＳ１８０４で一時的に保存した画像データを自機の記憶媒体（ＳＤカードなど）に保存する。
【０１３４】
図１９は、画像保存処理に関するフローチャートである。親カメラ１０１で撮影した場合も、子カメラ１０２、１０３で撮影した場合も、本フローチャートが実行される。
【０１３５】
ステップＳ１９０１では、親カメラ１０１もしくは子カメラ１０２、１０３にて撮影された保存対象とする画像データに関してのExif情報を読み込み、読み込んだExif情報から、撮影したカメラを一意に識別するカメラ識別情報を取得する。
【０１３６】
ステップＳ１９０２では、保存対象とする画像データが、自身が参加しているネットワークに登録されているカメラの画像データかどうか確認を行う。本ステップでは、テーブル（１２０１、あるいは１３０１）にあるネットワークカメラの一覧と比較し、一覧内に該当するカメラがあれば、登録されているカメラと判定し、ステップＳ１９０３へ処理を進め、一覧内に該当するカメラがなければ、登録外のカメラとして、本処理を終了する。
【０１３７】
続いて、ステップＳ１９０３では、画像データの保存先である記憶媒体に、保存対象とする画像データに対する名称と重複する名称を有する画像データが存在しないかをチェックする。もし、重複する画像データが存在する場合は、ステップＳ１９０４へ処理を進め、重複する画像データが存在しない場合、ステップＳ１９１１へ処理を進める。
【０１３８】
ステップＳ１９０４では、既存の画像データと保存対象とする画像データとの撮影日時をExif情報から取得し、取得した撮影日時を比較する。ステップＳ１９０５では、全ての既存の画像データよりも先に撮影されたか否かを判定し、先に撮影されたと判定した場合は、ステップＳ１９０９へ処理を進め、先に撮影されたと判定しない場合は、ステップＳ１９０６へ処理を進める。
【０１３９】
ステップＳ１９０６では、使用可能なリビジョン番号を取得する。重複する画像データの名称にリビジョン番号が付された画像データが存在しなければ、単純にリビジョン番号として「１」を取得し、既にリビジョン番号が付された重複する画像データが存在する場合、更に保存対象とする画像データと撮影日時の比較を行い、撮影日時の古い順にリビジョン番号を割り振る。
【０１４０】
ステップＳ１９０７では、ステップＳ１９０６において取得したリビジョン番号を用いて、画像データに付する名称を作成する。単純にリビジョン番号として「１」を取得した場合、「画像データに対する名称_１」とし、撮影日時の古い順にリビジョン番号を取得した場合、「画像データに対する名称_リビジョン番号」として名称を作成する。
【０１４１】
ステップＳ１９０８では、ステップＳ１９０７において作成した名称を用いて、画像データに対する名称をリネームする。
【０１４２】
ステップＳ１９０９では、既存の画像データに対する名称のリネームを行うため、既にリビジョン番号が付されていれば、使用されているリビジョン番号を１つインクリメントし、ステップＳ１９１０において、画像データに対する名称を１つインクリメントされたリビジョン番号を使用して当該画像データに付する。
【０１４３】
ステップＳ１９０９において、リビジョン番号が付されていなければ、リビジョン番号を単純に「１」として、ステップＳ１９１０において、画像データに対する名称を「画像データに対する名称_１」としてリネームを行う。
【０１４４】
図２０は、プレビュー表示処理に関するフローチャートが示されている。
【０１４５】
まず、ステップＳ２００１は、プレビュー表示は、記憶媒体に記憶された画像データの数分行われることを示している。
【０１４６】
ステップＳ２００２では、画像データのExif情報から、撮影カメラのカメラ識別情報を取得し、ステップＳ２００３では、ステップＳ２００２において取得したカメラ識別情報に該当するカメラの識別名とマークとを、テーブル（１２０１、あるいは１３０１）から取得する。
【０１４７】
ステップＳ２００４では、ステップＳ２００３において取得した識別名とマークとを画像データの任意の場所に合成し、ステップＳ２００５では、ステップＳ２００４において合成した画像を、プレビュー画面１４０１に出力する。
【０１４８】
以上の処理を、全保存画像に対して行い、プレビュー表示を実行する。なお、次画像が出力されるタイミングは、手動の場合は次ボタン（不図示）押下時、スライドショーの場合は一定時間経過時である。
【０１４９】
［第２の実施形態］
本発明の第２の実施形態について説明する。尚、第１の実施形態に係る構成、及びフローチャートにおける処理については、同一のものについては、同一の符号を用いて、説明を行い、その詳細については、説明を省略するものとする。
【０１５０】
第１の実施形態では、親カメラと子カメラとの関係を設定した後、その関係を維持したまま、各カメラで撮影を行うものであるが、第２の実施形態では、親カメラを他のカメラにスイッチすることを想定した態様を示している。
【０１５１】
この態様が用いられることが想定し得る状況としては、例えば、子カメラで撮影して得られた画像データを親カメラが備える画像保存部２０９へ記憶するにあたり、当該画像保存部２０９の空き容量が、なくなってしまう場合等があげられる。
【０１５２】
図２１には、親カメラ１０１を子カメラにスイッチするための親カメラスイッチ画面が示されており、親カメラスイッチ画面２１００は、親カメラ１０１の画像表示部２０８に表示される画面であり、親カメラ１０１とネットワークを構成する子カメラの一覧を表示する子カメラ一覧２１０２、親カメラ１０１へのスイッチ対象とすべく子カメラを選択するための子カメラ選択欄２１０４、子カメラ選択欄２１０４において選択された子カメラを親カメラ１０１にスイッチする際に押下するための転送ボタン２１０６、親カメラスイッチ画面２１００を閉じるための中止ボタン２１０８を備えている。
【０１５３】
また、図２２には、自身が親カメラ１０１の場合に、子カメラへ変更するか否かを確認するための親カメラスイッチ確認画面が示されており、親カメラスイッチ確認画面２２００は、自身を親カメラ１０１から子カメラへ変更する際に押下するためのＹＥＳボタン２２０２、親カメラ１０１から子カメラへの変更を行わない際に押下するためのＮＯボタン２２０４を備えている。
【０１５４】
図２３には、親カメラ１０１とネットワークを構成する子カメラ１０２、１０３を、親カメラにスイッチする際に処理を示すフローチャートが示されている。本フローチャートにおける各処理は、親カメラのＣＰＵ２０１の制御の元、処理が実行される。
【０１５５】
ステップＳ２３０１では、親カメラ１０１とネットワークを構成する子カメラ１０２、１０３を、親カメラにスイッチするか否かの判定を行う。この判定の１例としては、親カメラ１０１に備えた画像保存部２０９の空きの容量が、所定の容量を超えているか否かの判定を行う。つまり、子カメラ１０２、１０３において撮影して得られた画像データを保存可能な、空き容量が残っているか否かの判定を行う。
【０１５６】
そして、ステップＳ２３０２では、親カメラスイッチ画面２１００を表示し、親カメラテーブル１２０１に記憶された親カメラ１０１の情報と当該親カメラ１０１とネットワークを構成する子カメラ１０２、１０３の情報とを取得し、親カメラスイッチ画面２１００の子カメラ一覧２１０２には、子カメラ１０２、１０３の情報を表示する。
【０１５７】
ステップＳ２３０３では、画像表示部２０８を介して、親カメラスイッチ画面２１００の子カメラ選択欄２１０４が選択された状態で、転送ボタン２１０６が押下されたか否かを判定し、押下されたと判定した場合、ステップＳ２３０４へ処理を進め、中止ボタン２１０８が押下されたと判定した場合、ステップＳ２３０１へ処理を進める。
【０１５８】
ステップＳ２３０４では、親カメラ１０１は、親カメラスイッチ確認画面２２００を表示し、自身と構成されたネットワークに対して、子カメラへスイッチするか否かを判定する。尚、スイッチする場合とは、ＹＥＳボタン２２０２が押下されたことを検知した場合を示し、スイッチしない場合とは、ＮＯボタン２２０４が押下されたことを検知した場合を示す。
【０１５９】
子カメラへスイッチすると判定した場合、ステップＳ２３０５へ処理を進め、スイッチしないと判定した場合、ステップＳ２３０６へ処理を進める。
【０１６０】
ステップＳ２３０５では、親カメラ１０１は、自身を子カメラとして設定することを示す情報を生成し、ステップＳ２３０６では、ステップＳ２３０２において親カメラテーブル１２０１から取得した子カメラの情報のうち、ステップＳ２３０３で選択された子カメラに関する情報を用いて、当該選択された子カメラへ、親カメラへスイッチする旨を示す情報（前述の自身を子カメラとして設定することを示す情報に該当）、親カメラテーブル１２０１から取得した他の子カメラの情報、及びステップＳ２３０５において設定した自身を子カメラとして設定することを示す情報を送信する。
【０１６１】
すると、これらの情報を受信した子カメラ１０２あるいは１０３は、親カメラとしてネットワークへ参加をするため、親カメラを自身のカメラの情報、つまり、ネットワーク参加カメラテーブル１３０１の自カメラ情報、及び命名規則に関する情報を、子カメラ自身に親カメラテーブル１２０１を生成して、記憶する。
【０１６２】
ステップＳ２３０７では、親カメラ１０１は、ステップＳ２３０３で選択されなかった子カメラに対して、親カメラが変更する情報、ステップＳ２３０３で選択された子カメラに関する親カメラテーブル１２０１から取得した情報を送信する。
【０１６３】
すると、これらの情報を受信した、ステップＳ２３０３で選択されなかった各子カメラは、ネットワーク参加カメラテーブル１３０１の親カメラの情報を、受信した親カメラへスイッチする子カメラの情報（ステップＳ２３０３で選択された子カメラに関する情報）で更新する。
【０１６４】
ステップＳ２３０８では、親カメラ１０１は、ネットワーク参加カメラテーブル１３０１を生成する。尚、生成時には、親カメラ１０１は、ステップＳ２３０３で選択された子カメラに関する親カメラテーブル１２０１から取得した情報を用いて、生成したネットワーク参加カメラテーブル１３０１の親カメラの情報として更新し、親カメラテーブル１２０１に記憶された親カメラの情報及び命名規則を、生成したネットワーク参加カメラテーブル１３０１の自カメラ情報及び命名規則として更新する。そして、親カメラテーブル１２０１の削除を行う。
【０１６５】
［第３の実施形態］
本発明の第３の実施形態について説明する。尚、第１及び２の実施形態に係る構成、及びフローチャートにおける処理については、同一のものについては、同一の符号を用いて、説明を行い、その詳細については、説明を省略するものとする。
【０１６６】
第２の実施形態では、画像保存部２０９の空き容量が無くなる場合を１例として説明したが、このような場合以外にも、親カメラ１０１の電源をＯＦＦする場合にも、親カメラ１０１を子カメラへスイッチするようなことも想定される。
【０１６７】
この場合、図２４に示す電源ＯＦＦ前確認画面２４００を表示させ、ユーザは、電源をＯＦＦする前に、自身が参加しているネットワークにおいて、親カメラ１０１を子カメラに変更するか否かを選択することが可能である。
【０１６８】
図２５には、親カメラの電源をＯＦＦする際に、親カメラ１０１とネットワークを構成する子カメラ１０２、１０３を、親カメラにスイッチする処理を示すフローチャートが示されている。本フローチャートにおける各処理は、親カメラのＣＰＵ２０１の制御の元、処理が実行される。
【０１６９】
図２３に示すフローチャートをほぼ同様な処理を行うが、ステップＳ２４０１では、親カメラ１０１における電源をＯＦＦにする指示入力がなされたか否かを判定し、指示入力がなされた場合、ステップＳ２３０２へ処理を進める。この処理以降は、第２の実施形態における図２３に示すフローチャートのうち、第３の実施形態では不要とみなされるステップＳ２３０１、ステップＳ２３０４、及びステップＳ２３０５を省略した処理を実行する。
【０１７０】
［第４の実施形態］
本発明の第４の実施形態について説明する。尚、第１乃至３の実施形態に係る構成、及びフローチャートにおける処理については、同一のものについては、同一の符号を用いて、説明を行い、その詳細については、説明を省略するものとする。
【０１７１】
第１の実施形態では、子カメラ１０２、１０３で撮影して得られた全ての画像データが、撮影したタイミングで、親カメラ１０１へ自動送信されるが、第４の実施形態では、所定の条件を満たした画像データのみを親カメラ１０１へ送信するものである。
【０１７２】
図２６には、撮影処理に関するフローチャートが示されており、本フローチャートにおける各処理は、親カメラのＣＰＵ２０１の制御の元、処理が実行される。
【０１７３】
本フローチャートにおける各処理は、  図１８に示す撮影処理に関するフローチャートとほぼ同様な処理を行うものであり、異なる点は、ステップＳ２６０１に関する処理が異なっている。
【０１７４】
ステップＳ２６０１では、子カメラ１０２、１０３で撮影して得られた画像データが所定の条件を満たすか否かを判定し、満たすと判定した場合、ステップＳ１８０８へ処理を進め、満たすと判定しない場合、ステップＳ１８１１へ処理を進める。
【０１７５】
本ステップにおける所定の条件を満たすとは、例えば、撮影対象を所望する人物の顔画像を子カメラ１０２、１０３へ事前に登録しておき、子カメラ１０２、１０３で撮影して得られた画像データに、登録しておいた顔画像が含まれる場合、所定の条件を満たしたとみなす態様があげられる。
【０１７６】
この態様を取る場合、子カメラ１０２、１０３で撮影して得られた画像データに、１人でも、登録しておいた顔画像が含まれる場合を、所定の条件を満たしたと見做すことも可能であり、更に、子カメラ１０２、１０３で撮影して得られた画像データに、登録しておいた顔画像が全て含まれる場合を、所定の条件を満たしたと見做すことも可能である。
【０１７７】
あるいは、登録すべく顔画像をグループ化しておき、子カメラ１０２、１０３で撮影して得られた画像データに、何れの１グループ内の顔画像が全て含まれる場合を、所定の条件を満たしたと見做しておいても良いし、予め不図示の画面で設定しておいたグループのうち、１グループ内の顔画像が全て含まれる場合を、所定の条件を満たしたと見做しておいても良い。
【０１７８】
更に、子カメラ１０２、１０３で撮影して得られた画像データに含まれる被写体に関して、ピントが適切にあっている場合を、所定の条件を満たしたと見做しておいても良い。
【０１７９】
［第５の実施形態］
本発明の第５の実施形態について説明する。尚、第１乃至４の実施形態に係る構成、及びフローチャートにおける処理については、同一のものについては、同一の符号を用いて、説明を行い、その詳細については、説明を省略するものとする。
【０１８０】
第１及び４の実施形態では、子カメラ１０２、１０３で撮影して得られた画像データが、撮影したタイミングで、親カメラ１０１へ自動送信されるが、第５の実施形態では、子カメラ１０２、１０３から親カメラ１０１へ画像データを送信する前に、一度、子カメラ１０２、１０３で送信対象となる画像を、ユーザが確認した後に、親カメラ１０１へ送信するものである。
【０１８１】
この場合、図２７に示す転送確認画面２７００を表示させ、転送確認画面２７００の転送画像表示領域２７０２に対して、撮影して得られた画像データを表示し、ユーザは、表示された画像データを確認した後、親カメラ１０１へ転送する場合、転送ボタン２７０４を押下し、親カメラ１０１への転送を辞める場合、中止ボタン２７０６を押下する。
【０１８２】
図２８には、撮影処理に関するフローチャートが示されており、本フローチャートにおける各処理は、親カメラ１０１のＣＰＵ２０１の制御の元、処理が実行される。
【０１８３】
本フローチャートにおける各処理は、図１８に示す撮影処理に関するフローチャートとほぼ同様な処理を行うものであり、異なる点は、ステップＳ２８０１及びステップＳ２８０２に関する処理が異なっている。
【０１８４】
ステップＳ２８０１では、転送確認画面２７００を表示し、ステップＳ２８０２では、転送確認画面２７００の転送ボタン２７０４が押下されたと判定した場合、ステップＳ１８０８へ処理を進め、中止ボタン２７０６が押下されたと判定した場合、ステップＳ１８１１へ処理を進める。
【０１８５】
尚、転送確認画面２７００については、１回の撮影毎に、撮影して得られた画像データを確認しているが、所定枚数の画像データが得られたタイミング、あるいは、当該画像データを転送したい際に、画面（不図示）から転送指示がなされたタイミングで、そのタイミング間で撮影して得られ、メモリ等の一時記憶領域へ記憶された画像データの確認を行うことも可能である。
【０１８６】
その場合、ユーザは、複数枚の画像データを確認する必要があるが、図２９に示す転送画像選択画面２９００を用いて、転送対象とすべく画像データを選択して、親カメラ１０１へ転送することも可能である。
【０１８７】
転送画像選択画面２９００は、転送対象とすべく画像データを選択するための転送対象選択欄２９０２、撮影して得られた画像データを表示する選択画像表示領域２９０４、転送画像選択画面２９００の表示領域に納まらない画像データを表示する際に押下するための前ボタン２９０６及び後ボタン２９０８、転送対象選択欄２９０２が選択された画像データを転送する際に押下するための転送ボタン２９１０、転送を辞める際に押下するための中止ボタン２９１２を備えている。
【０１８８】
尚、撮影処理については、ステップＳ２８０１において、転送確認画面２７００の代わりに、転送画像選択画面２９００が表示され、ステップＳ２８０２では、転送対象選択欄２９０２が選択された状態で転送ボタン２９１０が押下された場合、ステップＳ１８０８へ処理を進め、中止ボタン２９１２が押下された場合、ステップＳ１８０１へ処理を進める。
【０１８９】
また、第４の実施形態において、ステップＳ２６０１では、子カメラ１０２、１０３で撮影して得られた画像データが所定の条件を満たすか否かを判定していたが、本ステップで、所定の条件を満たすと判定しない場合のみ、転送確認画面２７００に、所定の条件を満たすと判定しない画像データを表示し、転送するか否かを選択させても良い。
【０１９０】
あるいは、本ステップで、所定の条件を満たすと判定しない場合、該当する画像データを一時記憶領域へ保存しておき、転送画像選択画面２９００に当該画像データを表示し、転送するか否かを選択させても良い。
【０１９１】
また、本発明は、例えば、システム、方法、プログラムもしくは記憶媒体等としての実施態様をとることが可能である。
【０１９２】
この場合、記録媒体から読み出されたプログラム自体が本発明の新規な機能を実現することになり、そのプログラムを記憶した記録媒体は本発明を構成することになる。プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることができる。
【０１９３】
また、撮影装置によって読み出したプログラムを実行することにより、前述した実施形態の機能が実現されるだけでなく、そのプログラムの指示に基づき、撮影装置で稼働しているＯＳ等が実際の処理の一部または全部を行い、その処理によって前述した実施形態の機能が実現される場合も含まれることは言うまでもない。
【０１９４】
さらに、記録媒体から読み出されたプログラムが、撮影装置に備わるメモリに書き込まれた後、そのプログラムコードの指示に基づき、その撮影装置に備わるＣＰＵ等が実際の処理の一部または全部を行い、その処理によって前述した実施形態の機能が実現される場合も含まれることは言うまでもない。
【０１９５】
また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１９６】
さらに、本発明を達成するためのプログラムをネットワーク上のサーバ、データベース等から通信プログラムによりダウンロードして読み出すことによって、そのシステム、あるいは装置が、本発明の効果を享受することが可能となる。なお、上述した各実施形態およびその変形例を組み合わせた構成も全て本発明に含まれるものである。
【符号の説明】
【０１９７】
１０１    親カメラ
１０２    子カメラ
１０３    子カメラ
２０１    ＣＰＵ
２０２    撮像素子
２０３    Ａ／Ｄコンバータ
２０４    バッファメモリ
２０５    画像処理部
２０６    通信処理部
２０７    メモリ
２０８    画像表示部
２０９    画像保存部
【図１】
0005644846.tif 000002
【図２】
0005644846.tif 000003
【図３】
0005644846.tif 000004
【図４】
0005644846.tif 000005
【図５】
0005644846.tif 000006
【図６】
0005644846.tif 000007
【図７】
0005644846.tif 000008
【図８】
0005644846.tif 000009
【図９】
0005644846.tif 000010
【図１０】
0005644846.tif 000011
【図１１】
0005644846.tif 000012
【図１２】
0005644846.tif 000013
【図１３】
0005644846.tif 000014
【図１４】
0005644846.tif 000015
【図１５】
0005644846.tif 000016
【図１６】
0005644846.tif 000017
【図１７】
0005644846.tif 000018
【図１８】
0005644846.tif 000019
【図１９】
0005644846.tif 000020
【図２０】
0005644846.tif 000021
【図２１】
0005644846.tif 000022
【図２２】
0005644846.tif 000023
【図２３】
0005644846.tif 000024
【図２４】
0005644846.tif 000025
【図２５】
0005644846.tif 000026
【図２６】
0005644846.tif 000027
【図２７】
0005644846.tif 000028
【図２８】
0005644846.tif 000029
【図２９】
0005644846.tif 000030